(57)【特許請求の範囲】
【請求項１】
先細りテーパの施された複数の竿体から構成される釣竿の最も穂先側に位置する穂先竿であって、
強化繊維を前記穂先竿の軸方向に引き揃え、合成樹脂を含浸させたプリプレグ素材からなる中実の竿元側部材と、
前記竿元側部材の穂先側に一体的に連結され、強化繊維を前記軸方向から所定の角度で偏角するクロス方向に引き揃え、合成樹脂を含浸させたプリプレグ素材からなり、ねじれ剛性を高めるための中実の穂先側部材とを有し、
前記竿元側部材及び前記穂先側部材の連結部分は、一方の側に突出する突出部分を、他方の側に前記突出部分が挿入される凹部分を有し、前記突出部分が前記凹部分に挿入されて前記竿元側部材と前記穂先側部材とが脱着不能に連結され、
前記竿元側部材及び前記穂先側部材は、前記連結部分の周面が面一化されている
ことを特徴とする穂先竿。
【請求項２】
前記穂先側部分は、前記穂先竿の軸方向長さ全体に対して１／２〜１／５程度の軸方向長さを有している、請求項１に記載の穂先竿。
【請求項３】
前記竿元側部材は穂先側端部に穂先側に突出する突出部分を有し、前記穂先側部材は竿元側端部に前記突出部分が挿入される凹部分を有し、前記突出部分が前記凹部分に挿入されて前記竿元側部材と穂先側部材とが連結されている、請求項１又は２に記載の穂先竿。
【請求項４】
前記竿元側部材の突出部分は穂先側ほど小径化するテーパが施されている、請求項３に記載の穂先竿。
【発明の詳細な説明】
【０００１】
【発明の属する技術分野】
本発明は、複数の竿体を連結してなる釣竿の穂先竿、特に、先細り中実のソリッドタイプの穂先竿に関する。
【０００２】
【従来の技術】
一般に魚釣りに用いる釣竿は、複数の先細りテーパの施された複数の竿体を連結し一本の釣竿となっている。各竿体は炭素繊維やガラス繊維等の強化繊維を引き揃え、エポキシ樹脂などの合成樹脂を含浸させたプリプレグ素材からなり、この竿体の中で竿元側に位置する大径の元竿等は中空の筒状部材である。一方、最も穂先側に位置する小径の穂先竿は、小径化のために中実部材とされている場合もある。このように小径化された穂先竿は十分な屈曲性を有することとなり、仕掛けに魚がかかった場合にそのさなかの食いつき等に鋭敏に反応し、またしなやかに曲がって釣り操作を円滑なものとするのである。
【０００３】
このような従来の穂先竿は、炭素繊維等の強化繊維を軸方向に引き揃えたシート状のプリプレグを棒状に巻き上げ、焼成して硬化させて形成される。このように軸方向に引き揃えられた強化繊維が、最も小径である穂先竿の曲げ剛性を高めてその破損を抑えつつ、適度な曲げを演出しているのである。
【０００４】
【発明が解決しようとする課題】
このように、釣竿の最も穂先側に位置する穂先竿は、魚が仕掛けにかかった際に最も大きく軸方向に屈曲する部材である。しかし、それと共に、仕掛けに最も近い竿体である穂先竿、特に、穂先竿の穂先側端部は仕掛けにかかった魚が周方向に釣糸を回転させることから、周方向へのねじれ力が最も加わる部分でもある。このため、ねじれ剛性を高める必要も大きい。
【０００５】
このようなねじれ剛性を高めるためには、周方向に向けて強化繊維を配行したプリプレグ素材が必要となるが、一方で、小径の穂先竿では軸方向への曲げ剛性をも維持する必要も大きく、軸方向へ強化繊維の配行したプリプレグは無視できない。両者を積層させて併存させることも考えられるが、小径化が要求される穂先竿においてはプリプレグの積層数を増加させることは困難である。
【０００６】
本発明の課題は、ねじれ剛性にも優れかつ十分な小径化が可能な穂先竿を提供することにある。
【０００７】
【課題を解決するための手段】
発明１の穂先竿は、先細りテーパの施された複数の竿体から構成される釣竿の最も穂先側に位置する穂先竿であって、強化繊維を穂先竿の軸方向に引き揃え、合成樹脂を含浸させたプリプレグ素材からなる中実の竿元側部材と、竿元側部材の穂先側に一体的に連結され、強化繊維を軸方向から所定の角度で偏角するクロス方向に引き揃え、合成樹脂を含浸させたプリプレグ素材からなる中実の穂先側部材とを有し、竿元側部材及び穂先側部材の連結部分は、一方の側に突出する突出部分を、他方の側に突出部分が挿入される凹部分を有し、突出部分が前記凹部分に挿入されて竿元側部材と穂先側部材とが脱着不能に連結され、竿元側部材及び穂先側部材は、連結部分の周面が面一化されていることを特徴とする。
【０００８】
この穂先竿では、穂先竿の竿元側部分は強化繊維が軸方向に引き揃えられたプリプレグ素材からなる竿元側部材となっており、軸方向の曲げ剛性は十分に維持している。一方で、仕掛けにかかった魚から最も大きな周方向へのねじれ力がかかる穂先側部分は周方向若しくはクロス方向に強化繊維が引き揃えられたプリプレグ素材からなる穂先側部材となっており、ねじれ剛性が高められている。これにより、小径化を維持しつつ優れたねじれ剛性・軸方向の曲げ剛性を演出できることになる。
【０００９】
ここで用いる強化繊維のクロス方向とは、穂先竿の軸方向から±３０〜９０度の範囲で偏角する方向である。そして、所定の角度範囲において強化繊維が重なり合いながら配行されているものである。
【００１０】
発明２の穂先竿は、発明１の穂先竿であって、穂先側部材は、穂先竿の軸方向長さ全体に対して１／２〜１／５程度の軸方向長さを有している。この穂先竿では、穂先側部材は所定の軸方向長さの範囲で設定されており、必要な範囲で周方向へのねじれ剛性を高め、良好なねじれ特性と曲げ特性とを奏することになる。
【００１１】
発明３の穂先竿は、発明１又は２の穂先竿であって、竿元側部材は穂先側端部に穂先側に突出する突出部分を有し、穂先側部材は竿元側端部に前記突出部分が挿入される凹部分を有し、突出部分が凹部分に挿入されて竿元側部材と穂先側部材とが連結されている。
【００１２】
この穂先竿では、突出部分が凹部分に挿入されることで穂先側部材を竿元側部材とが円滑に連結され両者の結合力も十分に向上する。連結作業も容易になる。なお、両者は接着剤等によって連結してもよい。また、穂先側部材と竿元側部材とを連結後に、連結部分の外周に連結固定用の補助プリプレグを巻回し、焼成して一体化してもよい。
【００１３】
発明４の穂先竿は、発明３の穂先竿であって、竿元側部材の突出部分は穂先側ほど小径化するテーパが施されている。
この穂先竿では、突出部分が穂先側ほど小径化するテーパとなっており、軸方向において連続的に竿元側部材と穂先側部材とのプリプレグ素材が変化してゆくので、軸方向の素材特性の変化が円滑であり、操作性に優れる。
【００１４】
【発明の実施の形態】
［第１実施形態］
以下、本発明の第１実施形態について図面を参照しつつ説明する。
【００１５】
図１に示すように、本発明の第１実施形態を採用した釣竿は、筒状の元竿１と、元竿１の穂先側に順次振出形式で連結される元上竿２，中竿（穂持ち竿）３，穂先竿４とを有している。そして、元上竿２及び中竿３の穂先側の端部周面には固定ガイド５が装着され、その竿元側の周面には軸方向に周面上をスライド移動可能に複数のスライドガイド６が配置されている。また、穂先竿４の穂先側端部にはトップガイド７が固定され、その竿元側の周面には軸方向に周面上をスライド移動可能にスライドガイド６が配置されている。そして、各スライドガイド６は各竿体周面上において軸方向に移動し、その内径と竿体の外径との一致により竿体周面の所定の軸方向位置に固定されることになる。
【００１６】
元竿１〜中竿３は、それぞれ炭素繊維強化樹脂，ガラス繊維強化樹脂等からなるプリプレグから形成される先細りテーパが施された筒状部材である。順次、穂先側端部内周面にその穂先側に連結される竿体の竿元側端部を嵌合固定可能となっている（いわゆる振出形式である）。元竿１の周面にはリール（図示せず）を脱着自在に装着するためのリールシート８が一体的に配置され、竿元側端部には尻栓も装着されている。
【００１７】
一方、穂先竿４は、炭素繊維強化樹脂，ガラス繊維強化樹脂等からなる中実の細棒状の部材である。竿元側端部が嵌合雄部となっており、これが中竿３の穂先側端部内周面に嵌合して中竿３の穂先側に連結可能となっている。図２に示すように、この穂先竿４は、詳しくは２つのパーツから構成されている。２つのパーツとは、竿元側を構成する竿元側部材１１と穂先側を構成する穂先側部材１２である。この２つのパーツが脱着不能に連結され一本の穂先竿４となっている。
【００１８】
竿元側部材１１は、穂先竿４の軸方向長さ全体のおよそ１／２〜４／５程度の軸方向長さを占める先細りテーパの施された中実の棒状部材である。竿元側部材１１は軸方向に炭素繊維やガラス繊維が引き揃えられたプリプレグ素材から構成され、強化繊維は軸方向に配行されている。竿元側部材１１の穂先側端部には他の部分より小径化して穂先側に延びる突出部分１１ａが形成されている。突出部分１１ａは所定の棒状部材を形成後に穂先側の一部分を部分的に削り取って形成される部分である。突出部分１１ａも穂先側ほど小径化するようなテーパを設けるのが好ましい。
【００１９】
穂先側部材１２は、穂先竿４の軸方向長さ全体の１／２〜１／５程度の軸方向長さを占める先細りテーパの施された中実の棒状部材である。竿元側部材１１と同様に所定のプリプレグ素材から形成されているが、このプリプレグ素材は強化繊維がクロス方向又は周方向に引き揃えられたものである。クロス方向とは、穂先竿４の軸方向から±３０〜９０度の範囲で偏角する方向である。竿元側端部には上述の突出部分１１ａが挿入され合致するように軸方向に凹入する孔が形成されている。そして、ここに突出部分１１ａが挿入され接着剤等で両者が固定されることになる。この場合、両部材の連結部分の周面は表面研磨加工などにより平滑化し、表面塗装等によって、外見上一本の竿体と異ならないようにすることも可能である。
【００２０】
なお、接着剤による固定に加えて両者の連結部分周面に補助プリプレグを巻回し、さらに焼成して一体化しても良い。
また、竿元側部材１１と穂先側部材１２とにおいては、強化繊維の配行方向を異にするのみではなく、その強化繊維を異にしても良い。例えば、竿元側部材１１においては炭素繊維を用いて、穂先側部材１２においてはガラス繊維を用いることも可能であり、その逆も又可能である。さらに、同質の炭素繊維を用いる場合であっても、例えば、竿元側部材１１と穂先側部材１２とにおいては引っ張り弾性率が異なる繊維を用いることも可能である。その引っ張り弾性率の設定は適宜設定すれば足りる。
【００２１】
この穂先竿４は、竿元側部分は竿元側部材１１が、穂先側部分は穂先側部材１２がそれぞれ構成している。そして、それぞれの部材を構成するプリプレグ素材の繊維がそれぞれ必要な軸方向の曲げ剛性や周方向へのねじれ剛性を高め、良好な特性を演出している。このように部分的に異なるプリプレグ素材を用いるパーツを組み合わせることで、複数種のプリプレグ素材を巻回して竿体を形成する必要もなく、大径化を抑えることもできる。
【００２２】
［第２実施形態］
本発明の第２実施形態を採用した中通し竿の穂先竿４は、図４に示すように、炭素繊維強化樹脂，ガラス繊維強化樹脂等からなる中実の細棒状の部材である。第１実施形態と同様に、竿元側端部が嵌合雄部となっており、これが中竿３の穂先側端部内周面に嵌合して中竿３の穂先側に連結可能となっている。この穂先竿４も、２つのパーツ、即ち、竿元側を構成する竿元側部材２１と穂先側を構成する穂先側部材２２とからなっている。そして、この２つのパーツが脱着不能に連結され一本の穂先竿４となっている。
【００２３】
竿元側部材２１は、穂先竿４の軸方向長さ全体のおよそ１／２〜４／５程度の軸方向長さを占める先細りテーパの施された中実の棒状部材である。竿元側部材２１は軸方向に炭素繊維やガラス繊維が引き揃えられたプリプレグ素材から構成され、強化繊維は軸方向に配行されている。竿元側部材２１の穂先側端部には他の部分より穂先側に向かって徐々に小径化し円錐状に延びる突出部分２１ａが形成されている。突出部分２１ａは、第１実施形態と同様に、所定の棒状部材を形成後に穂先側の一部分を部分的に削り取って形成される部分である。
【００２４】
穂先側部材２２は、穂先竿４の軸方向長さ全体の１／２〜１／５程度の軸方向長さを占める先細りテーパの施された中実の棒状部材である。竿元側部材２１と同様に所定のプリプレグ素材から形成され、強化繊維がクロス方向又は周方向に引き揃えられたものである。竿元側端部には上述の円錐状の突出部分２１ａが挿入され合致するように軸方向に円錐状に凹入する孔が形成されている。そして、ここに突出部分２１ａが挿入され接着剤等で両者が固定されることになる。
【００２５】
このような穂先竿４に於いても、第１実施形態と同様の作用効果を奏することになる。このように竿元側部材２１と穂先側部材２２とを円錐型に連結することで、軸方向において竿元側部材２１と穂先側部材２２とが連続的に変化し、軸方向において竿体の調子が急激に変化することなく、竿の調子にも優れる。
【００２６】
いるパーツを組み合わせることで、大径化を抑えることもできる。
［他の実施形態］
（ａ）穂先竿の竿元側部材の突出部分は穂先側部材との連結力を得られる程度にあれば足り、例えば、図５に示すように、穂先竿４における竿元側部材３１の突出部分３１ａは軸方向に短く筒状に突出させたものでもよい。また、上記各実施形態においては、竿元側部材側に穂先側に突出する突出部分を形成しているが、逆に、穂先側部材の竿元側端部に竿元側に突出する突出部分を形成して、両者を連結してもよい。
（ｂ）上記各実施形態においては、穂先側部材と竿元側部材との連結周面を面一化しているが、図６に示すように、穂先側部材４２と竿元側部材４１とにおいて径差を設けて段付きの穂先竿としてもよい。この場合、図７に示すように、両者の段差を別の曲面パーツを配置して意匠性を向上させたり、テーパ付きにしたり、曲面化したりすることも可能である。
【００２７】
【発明の効果】
本発明の穂先竿は、十分に小径でありつつ、且つ曲げ剛性・ねじれ剛性にも優れる。
【図面の簡単な説明】
【図１】本発明の第１実施形態を採用した釣竿の全体図。
【図２】図１の釣竿の穂先竿４を示した図。
【図３】図２の穂先竿４の拡大図。
【図４】本発明の第２実施形態を採用した穂先竿４を示した図。
【図５】本発明の他の実施形態を採用した穂先竿４を示した図。
【図６】本発明の他の実施形態を採用した穂先竿４を示した図。
【図７】本発明の他の実施形態を採用した穂先竿４を示した図。
【符号の説明】
３  中竿
４  穂先竿
１１，２１，３１，４１  竿元側部材
１２，２２，３２，４２  穂先側部材
【図１】
0004730802.tif 000002
【図２】
0004730802.tif 000003
【図３】
0004730802.tif 000004
【図４】
0004730802.tif 000005
【図５】
0004730802.tif 000006
【図６】
0004730802.tif 000007
【図７】
0004730802.tif 000008